【手続補正書】
【提出日】平成19年7月17日(2007.7.17)
【手続補正１】
【補正対象書類名】明細書
【補正対象項目名】特許請求の範囲
【補正方法】変更
【補正の内容】
【特許請求の範囲】
【請求項１】
多重装置が接続された複数のノードが接続され、前記多重装置が前記ノードを介して通信する多重通信システムであって、
データを送信する前記多重装置において、
音声またはＦＡＸデータに音声またはＦＡＸデータ用のヘッダを付加し、制御またはＬＡＮデータに制御またはＬＡＮのためのヘッダを付加する手段と、
前記音声またはＦＡＸデータ用のヘッダが付加された前記音声またはＦＡＸデータと、前記制御またはＬＡＮのためのヘッダが付加された前記制御またはＬＡＮデータを含む多重化されたデータを生成する手段と、
前記多重化されたデータのフレーム長を判断する手段と、
前記フレーム長が所定の長さより長い場合、前記制御またはＬＡＮデータを分割する手段と、
前記分割により残った前記制御またはＬＡＮデータに前記制御またはＬＡＮデータを分割したことを示すヘッダを付加する手段と、
フレーム長が前記所定の長さあるいはそれ以下の前記多重化されたデータを送信するとともに、前記制御またはＬＡＮデータを分割したことを示すヘッダが付加された前記制御またはＬＡＮデータを、次の送信の際に多重化して送信する手段と、
データを受信する前記多重装置において、
前記多重化されたデータを、前記音声またはＦＡＸデータ用のヘッダおよび前記制御またはＬＡＮのためのヘッダをもとに音声データと前記制御またはＬＡＮデータに分割する手段と、
前記分割した後の音声データを所定の音声のためのポートへ送信する手段と、
前記分割した後の前記制御またはＬＡＮデータを所定の制御またはＬＡＮのためのポートへ送信する手段と、
を備えることを特徴とする多重通信システム。
【請求項２】
前記多重化されたデータは、ＨＤＬＣの多重フレームを有するデータであることを特徴とする請求項１記載の多重通信システム。
【請求項３】
前記フレーム長は、ノードとノードとの間の帯域に基づくことを特徴とする請求項１記載の多重通信システム。
【請求項４】
多重装置が接続された複数のノードが接続され、前記多重装置が前記ノードを介して通信し、前記ノード内に所定の回線を有する多重通信システムであって、
前記ノードにおいて、
所定のヘッダが付加された音声またはＦＡＸデータと前記制御またはＬＡＮデータを含むデータを受信する手段と、
前記ヘッダを参照して、前記受信したデータを前記音声またはＦＡＸデータと前記制御またはＬＡＮデータに分割する分割手段と、
前記分割した後の音声またはＦＡＸデータと前記制御またはＬＡＮデータに、前記ヘッダに代えて前記回線に応じた他のヘッダを付加する付加手段と、
前記他のヘッダが付加された音声またはＦＡＸデータと前記制御またはＬＡＮデータを前記回線へ送信する手段と、
前記他のヘッダに代えて前記所定のヘッダを付加して、前記音声またはＦＡＸデータと前記制御またはＬＡＮデータを含む多重化されたデータを生成する生成手段と、
前記生成されたデータを送信する手段と、
を備えることを特徴とする多重通信システム。
【請求項５】
前記付加手段は、前記他のヘッダとしてＩＰヘッダを付加することを特徴とする請求項４記載の多重通信システム。
【請求項６】
前記生成手段は、前記ＩＰヘッダを参照して前記データを生成することを特徴とする請求項５記載の多重通信システム。
【請求項７】
多重装置が接続された複数のノードが接続され、前記多重装置が前記ノードを介して通信する多重通信システムにおける多重通信方法であって、
データを送信する前記多重装置では、
音声またはＦＡＸデータに音声またはＦＡＸデータ用のヘッダを付加し、制御またはＬＡＮデータに制御またはＬＡＮのためのヘッダを付加するステップと、
前記音声またはＦＡＸデータ用のヘッダが付加された前記音声またはＦＡＸデータと、前記制御またはＬＡＮのためのヘッダが付加された前記制御またはＬＡＮデータを含む多重化されたデータを生成するステップと、
前記多重化されたデータのフレーム長を判断するステップと、
前記フレーム長が所定の長さより長い場合、前記制御またはＬＡＮデータを分割するステップと、
前記分割により残った前記制御またはＬＡＮデータに前記制御またはＬＡＮデータを分割したことを示すヘッダを付加するステップと、
フレーム長が前記所定の長さあるいはそれ以下の前記多重化されたデータを送信するとともに、前記制御またはＬＡＮデータを分割したことを示すヘッダが付加された前記制御またはＬＡＮデータを、次の送信の際に多重化して送信するステップと、
データを受信する前記多重装置では、
前記多重化されたデータを、前記音声またはＦＡＸデータ用のヘッダおよび前記制御またはＬＡＮのためのヘッダをもとに音声データと前記制御またはＬＡＮデータに分割するステップと、
前記分割した後の音声データを所定の音声のためのポートへ送信するステップと、
前記分割した後の前記制御またはＬＡＮデータを所定の制御またはＬＡＮのためのポートへ送信するステップと、
を備えることを特徴とする多重通信方法。
【請求項８】
多重装置が接続された複数のノードが接続され、前記多重装置が前記ノードを介して通信し、前記ノード内に所定の回線を有する多重通信システムにおける多重通信方法であって、
前記ノードは、
所定のヘッダが付加された音声またはＦＡＸデータと前記制御またはＬＡＮデータを含むデータを受信するステップと、
前記ヘッダを参照して、前記受信したデータを前記音声またはＦＡＸデータと前記制御またはＬＡＮデータに分割するステップと、
前記分割した後の音声またはＦＡＸデータと前記制御またはＬＡＮデータに、前記ヘッダに代えて前記回線に応じた他のヘッダを付加するステップと、
前記他のヘッダが付加された音声またはＦＡＸデータと前記制御またはＬＡＮデータを前記回線へ送信するステップと、
前記他のヘッダに代えて前記所定のヘッダを付加して、前記音声またはＦＡＸデータと前記制御またはＬＡＮデータを含むデータを生成するステップと、
前記生成されたデータを送信するステップと、
を備えることを特徴とする多重通信方法。
【手続補正２】
【補正対象書類名】明細書
【補正対象項目名】００１１
【補正方法】変更
【補正の内容】
【００１１】
【課題を解決するための手段】
本発明は、多重装置が接続された複数のノードが接続され、前記多重装置が前記ノードを介して通信する多重通信システムであって、データを送信する前記多重装置において、音声またはＦＡＸデータに音声またはＦＡＸデータ用のヘッダを付加し、制御またはＬＡＮデータに制御またはＬＡＮのためのヘッダを付加する手段と、前記音声またはＦＡＸデータ用のヘッダが付加された前記音声またはＦＡＸデータと、前記制御またはＬＡＮのためのヘッダが付加された前記制御またはＬＡＮデータを含む多重化されたデータを生成する手段と、前記多重化されたデータのフレーム長を判断する手段と、前記フレーム長が所定の長さより長い場合、前記制御またはＬＡＮデータを分割する手段と、前記分割により残った前記制御またはＬＡＮデータに前記制御またはＬＡＮデータを分割したことを示すヘッダを付加する手段と、フレーム長が前記所定の長さあるいはそれ以下の前記多重化されたデータを送信するとともに、前記制御またはＬＡＮデータを分割したことを示すヘッダが付加された前記制御またはＬＡＮデータを、次の送信の際に多重化して送信する手段と、データを受信する前記多重装置において、前記多重化されたデータを、前記音声またはＦＡＸデータ用のヘッダおよび前記制御またはＬＡＮのためのヘッダをもとに音声データと前記制御またはＬＡＮデータに分割する手段と、前記分割した後の音声データを所定の音声のためのポートへ送信する手段と、前記分割した後の前記制御またはＬＡＮデータを所定の制御またはＬＡＮのためのポートへ送信する手段と、を備えることを特徴とする。
【手続補正３】
【補正対象書類名】明細書
【補正対象項目名】００１２
【補正方法】変更
【補正の内容】
【００１２】
また、多重装置が接続された複数のノードが接続され、前記多重装置が前記ノードを介して通信し、前記ノード内に所定の回線を有する多重通信システムであって、前記ノードにおいて、所定のヘッダが付加された音声またはＦＡＸデータと前記制御またはＬＡＮデータを含むデータを受信する手段と、前記ヘッダを参照して、前記受信したデータを前記音声またはＦＡＸデータと前記制御またはＬＡＮデータに分割する分割手段と、前記分割した後の音声またはＦＡＸデータと前記制御またはＬＡＮデータに、前記ヘッダに代えて前記回線に応じた他のヘッダを付加する付加手段と、前記他のヘッダが付加された音声またはＦＡＸデータと前記制御またはＬＡＮデータを前記回線へ送信する手段と、前記他のヘッダに代えて前記所定のヘッダを付加して、前記音声またはＦＡＸデータと前記制御またはＬＡＮデータを含む多重化されたデータを生成する生成手段と、前記生成されたデータを送信する手段と、を備えることを特徴とする。
【手続補正４】
【補正対象書類名】明細書
【補正対象項目名】００１３
【補正方法】変更
【補正の内容】
【００１３】
また、多重装置が接続された複数のノードが接続され、前記多重装置が前記ノードを介して通信する多重通信システムにおける多重通信方法であって、データを送信する前記多重装置では、音声またはＦＡＸデータに音声またはＦＡＸデータ用のヘッダを付加し、制御またはＬＡＮデータに制御またはＬＡＮのためのヘッダを付加するステップと、前記音声またはＦＡＸデータ用のヘッダが付加された前記音声またはＦＡＸデータと、前記制御またはＬＡＮのためのヘッダが付加された前記制御またはＬＡＮデータを含む多重化されたデータを生成するステップと、前記多重化されたデータのフレーム長を判断するステップと、前記フレーム長が所定の長さより長い場合、前記制御またはＬＡＮデータを分割するステップと、前記分割により残った前記制御またはＬＡＮデータに前記制御またはＬＡＮデータを分割したことを示すヘッダを付加するステップと、フレーム長が前記所定の長さあるいはそれ以下の前記多重化されたデータを送信するとともに、前記制御またはＬＡＮデータを分割したことを示すヘッダが付加された前記制御またはＬＡＮデータを、次の送信の際に多重化して送信するステップと、データを受信する前記多重装置では、前記多重化されたデータを、前記音声またはＦＡＸデータ用のヘッダおよび前記制御またはＬＡＮのためのヘッダをもとに音声データと前記制御またはＬＡＮデータに分割するステップと、前記分割した後の音声データを所定の音声のためのポートへ送信するステップと、前記分割した後の前記制御またはＬＡＮデータを所定の制御またはＬＡＮのためのポートへ送信するステップと、を備えることを特徴とする。
【手続補正５】
【補正対象書類名】明細書
【補正対象項目名】００１４
【補正方法】変更
【補正の内容】
【００１４】
また、多重装置が接続された複数のノードが接続され、前記多重装置が前記ノードを介して通信し、前記ノード内に所定の回線を有する多重通信システムにおける多重通信方法であって、前記ノードは、所定のヘッダが付加された音声またはＦＡＸデータと前記制御またはＬＡＮデータを含むデータを受信するステップと、前記ヘッダを参照して、前記受信したデータを前記音声またはＦＡＸデータと前記制御またはＬＡＮデータに分割するステップと、前記分割した後の音声またはＦＡＸデータと前記制御またはＬＡＮデータに、前記ヘッダに代えて前記回線に応じた他のヘッダを付加するステップと、前記他のヘッダが付加された音声またはＦＡＸデータと前記制御またはＬＡＮデータを前記回線へ送信するステップと、前記他のヘッダに代えて前記所定のヘッダを付加して、前記音声またはＦＡＸデータと前記制御またはＬＡＮデータを含むデータを生成するステップと、前記生成されたデータを送信するステップと、を備えることを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】０１０６
【補正方法】変更
【補正の内容】
【０１０６】
以上のように、データ系と音声系を統合した多重通信システムで、帯域の狭いユーザ側とＮｏｄｅ側の間のアクセス回線上で、データ系の分割、多重を行うフレーム構成および通信手段を採用することにより、音声データのリアルタイム性を損なわずに、ＬＡＮデータの伝送効率を高めることが可能となる。
【手続補正１９】
【補正対象書類名】明細書
【補正対象項目名】０１０７
【補正方法】変更
【補正の内容】
【０１０７】
また、Ｎｏｄｅへのアクセス回線が、例えば、ＩＳＤＮ（２Ｂ＋Ｄ）の場合、専用線の場合と同様、ＬＡＮ／制御データを送信中でも、ＬＡＮ／制御データの帯域を最大限確保して、遅延を一定時間内に抑えて、音声内線通話およびＦＡＸ通信を行える。
さらに、ＩＰアドレスをもとに、ＬＡＮ／制御データとＷＡＮデータを識別することで、ＬＡＮ／制御データを送信中であっても、ＬＡＮ／制御データの帯域を最大限確保して、遅延を一定時間内に抑えて、音声内線通話およびＦＡＸ通信を行えるとともに、Internetへの接続・通信も可能となる。
【手続補正２０】
【補正対象書類名】明細書
【補正対象項目名】０１０８
【補正方法】変更
【補正の内容】
【０１０８】
【発明の効果】
以上のように、本発明によれば、音声データまたはＦＡＸデータのリアルタイム性を損なわずに、制御データまたはＬＡＮデータの伝送効率を高めることが可能となる。